(57)【要約】【課題】低温貯蔵室内の視認性を上げつつ均一に冷却できる冷蔵庫の提供。【解決手段】低温貯蔵室２３の天井となる棚板部材２４の下面に凹部３４を形成し、この凹部に照明装置３５を設けるとともに、凹部外周部分には断熱用帯域３６を残して冷気ダクト部３２を形成し、前記照明装置よりも前側に冷気ダクト部を設けて低温貯蔵室内に冷気を供給可能な構成としてある。これにより、照明装置を棚板部材の下面に水平方向に設けて低温貯蔵室の奥の視認性を向上させることができる。しかも低温貯蔵室の前方部分にも冷気を供給して低温貯蔵室内を均一に冷却できる。また、照明装置の周りが冷気の流れる冷気ダクトになっていても、断熱用帯域による断熱で照明装置に結露が発生するようなことがなく、結露による故障等の懸念の無いものとすることができる。【選択図】図５
2020079704.tif 000002
【特許請求の範囲】
【請求項１】
冷蔵室を少なくとも有し、引き出し可能な容器を有する貯蔵室が前記冷蔵室の下部に設けられている冷蔵庫であって、前記貯蔵室の天井に設けられている、冷気が流れる冷気ダクトと、前記貯蔵室の天井に設けられている、前記貯蔵室の内部を照らす照明装置と、前記貯蔵室の天井に設けられている、前記冷気ダクトから前記貯蔵室の内部に冷気を供給するための複数の冷気吹出し口とを備え、前記貯蔵室の天井は上板と下板とで構成され、前記下板の一部は前記冷蔵庫の天面方向に凹む凹部であり、前記照明装置は前記凹部に設けられ、前記複数の冷気吹出し口の一部は前記照明装置よりも前記貯蔵室の前方側に設けられ、前記複数の冷気吹出し口の一部は前記照明装置よりも前記貯蔵室の後方側に設けられていることを特徴とする冷蔵庫。
【請求項２】
前記照明装置は、前記容器を引き出した際に前記容器の最後端よりも前記貯蔵室の前方側に位置するように設けられていることを特徴とする請求項１に記載の冷蔵庫。
【請求項３】
前記凹部と前記冷気ダクトは断熱用帯域によって断熱されていることを特徴とする請求項１又は２に記載の冷蔵庫。
【請求項４】
前記貯蔵室の天井の内部は発泡スチロールが上下に重ねられた構造であり、上側の発泡スチロールと下側の発泡スチロールとの間に前記冷気ダクトが設けられていることを特徴とする請求項１又は２に記載の冷蔵庫。
【請求項５】
前記照明装置は、前記貯蔵室の前後方向の中心よりも前記貯蔵室の前方側に設けられていることを特徴とする請求項１から４のいずれか１項に記載の冷蔵庫。
【請求項６】
前記貯蔵室に温度センサが設けられ、前記温度センサが検出する温度に基づいて前記貯蔵室への冷気の供給が制御されることを特徴とする請求項１から５のいずれか１項に記載の冷蔵庫。
【請求項７】
前記温度センサは前記貯蔵室の奥面に設けられていることを特徴とする請求項６に記載の冷蔵庫。
【請求項８】
前記冷蔵室には上下方向に複数の棚が設けられ、前記複数の棚のうち最も下方の棚が前記貯蔵室の天井として使用されることを特徴とする請求項１から７のいずれか１項に記載の冷蔵庫。
【請求項９】
前記貯蔵室はパーシャル室であることを特徴とする請求項１から８のいずれか１項に記載の冷蔵庫。
【請求項１０】
前記貯蔵室はチルド室であることを特徴とする請求項１から８のいずれか１項に記載の冷蔵庫。
【請求項１１】
前記貯蔵室はパーシャル室又はチルド室に切り替え可能であることを特徴とする請求項１から８のいずれか１項に記載の冷蔵庫。
【発明の詳細な説明】
【技術分野】
【０００１】
本発明は冷蔵庫に関し、特にその冷蔵室内に設けた低温貯蔵室の照明構成に関するものである。
【背景技術】
【０００２】
一般に家庭用冷蔵庫は、冷蔵室、野菜室、冷凍室等を備え、更に前記冷蔵室内には当該冷蔵室よりも低温に冷却されるチルド室（冷蔵室よりも低く約１℃の温度帯とする室）あるいはパーシャル室（約−３℃の微凍結温度帯とする室）またはこれらに切り替え可能な第三温度帯室等の低温貯蔵室を設けたものが見られる。（例えば、特許文献１参照）。
【０００３】
図１４、図１５は特許文献１記載の冷蔵庫を示し、この冷蔵庫は冷蔵室１０１の下部に低温貯蔵室１０２を設け、この低温貯蔵室１０２はその上面を冷蔵室１０１の最下段に位置する棚板としても利用する棚板部材１０３で覆って構成してある。そして上記棚板部材１０３は断熱材１０４が一体化してあって、低温貯蔵室１０３内を比較的温度の高い冷蔵室１０１から断熱するとともに、当該断熱材１０４中に冷気ダクト部１０５を設けて、冷蔵庫本体１０６側から送られてくる冷気を低温貯蔵室１０２内に供給する構成としてある。そして更に前記棚板部材１０３の下面には冷蔵室１０１内の照明装置とは別に低温貯蔵室１０２内を照射する照明装置１０７が設けてある。
【先行技術文献】
【特許文献】
【０００４】
【特許文献１】特開２０１２−２２００４７号公報
【発明の概要】
【発明が解決しようとする課題】
【０００５】
本発明は、冷蔵室内の貯蔵室を均一に冷却できる冷蔵庫を提供することを目的としたものである。
【課題を解決するための手段】
【０００６】
本発明は、上記目的を達成するために、冷蔵室を少なくとも有し、引き出し可能な容器を有する貯蔵室が前記冷蔵室の下部に設けられている冷蔵庫であって、前記貯蔵室の天井に設けられている、冷気が流れる冷気ダクトと、前記貯蔵室の天井に設けられている、前記貯蔵室の内部を照らす照明装置と、前記貯蔵室の天井に設けられている、前記冷気ダクトから前記貯蔵室の内部に冷気を供給するための複数の冷気吹出し口とを備え、前記貯蔵室の天井は上板と下板とで構成され、前記下板の一部は前記冷蔵庫の天面方向に凹む凹部であり、前記照明装置は、前記照明装置の下端が前記下板の下端よりも下側に位置しないように前記凹部に設けられ、前記複数の冷気吹出し口の一部は、前記照明装置よりも前記貯蔵室の前方側に設けられ、前記複数の冷気吹出し口の一部は、前記照明装置よりも前記貯蔵室の後方側に設けられていることを特徴とする。
【発明の効果】
【０００７】
本発明によれば、冷蔵室内の貯蔵室を均一に冷却できる冷蔵庫を提供できる。
【図面の簡単な説明】
【０００８】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の冷蔵室下部に設けた低温貯蔵室の拡大斜視図
【図５】同実施の形態１における冷蔵庫の低温貯蔵室の拡大断面図
【図６】同実施の形態１における冷蔵庫の低温貯蔵室を構成する棚板部材の上断熱材を取り外した状態の平面図
【図７】同実施の形態１における冷蔵庫を示す図６のＡ−Ａ断面図
【図８】同実施の形態１における冷蔵庫を示す図６のＢ−Ｂ断面図
【図９】同実施の形態１における冷蔵庫の低温貯蔵室における照明状態を示す説明図
【図１０】同実施の形態１における冷蔵庫の低温貯蔵室容器を引き出した時の照明状態を示す説明図
【図１１】同実施の形態１における冷蔵庫の低温貯蔵室を構成する棚板部材を上方から見た斜視図
【図１２】同実施の形態１における冷蔵庫の低温貯蔵室を構成する棚板部材を下方から見た斜視図
【図１３】同実施の形態１における冷蔵庫の低温貯蔵室を構成する棚板部材の分解斜視図
【図１４】従来の冷蔵庫の低温貯蔵室部分を示す概略断面図
【図１５】同従来の低温貯蔵室構成を示す拡大断面図
【発明を実施するための形態】
【０００９】
第１の発明は、冷蔵庫本体と、冷蔵庫本体に設けた冷蔵室と、前記冷蔵室の下部に棚板部材によって区画形成した低温貯蔵室とを備え、前記低温貯蔵室の天井となる棚板部材は低温貯蔵室内を冷蔵室から断熱する断熱材と、これを覆う上板及び下板とで構成し、かつ、前記棚板部材の下面には前記断熱材側に向かって凹部を形成し、この凹部に照明装置を設けるとともに、前記断熱部材の凹部外周部分には断熱用帯域を残して冷気ダクト部を形成し、前記照明装置よりも前方側に冷気ダクトを設けて低温貯蔵室内に冷気を供給可能な構成としてある。
【００１０】
これにより、低温貯蔵室の前方部分にも冷気を供給できて当該部分が冷気供給不足気味になるのを防止でき、低温貯蔵室内を均一に冷却できる。また、照明装置の周りが冷気の流れる冷気ダクトになっていても、この冷気ダクト内を流れる冷気は照明装置を設けた凹部周りの断熱用帯域によって断熱されるので、照明装置が過冷却され照明装置に結露が発生するようなことがなく、低温貯蔵室内の冷却均一化を実現しつつ結露による故障等の懸念も無いものとすることができる。そして、前記照明装置は棚板部材の下面に水平方向に設けることができ、低温貯蔵室の奥の視認性も向上させることができる。
【００１１】
第２の発明は、第１の発明において、前記棚板部材は後端部に冷気導入口を有し、この冷気導入口と対向する部分の凹部周りの断熱用帯域は他の部分の断熱用帯域よりも断熱帯域幅を広く形成した構成としてある。
【００１２】
これにより、冷気導入口からの冷気が直接衝突して強く冷却される部分も強力に断熱でき、照明装置の過冷却を確実に防止して照明装置に結露が発生するのを防止でき、結露による故障等の懸念をより確実に払拭して信頼性を一段と高めることができる。
【００１３】
第３の発明は、第１または第２の発明において、前記照明装置はその光源体の下方部分を透明カバーで覆った構成としてある。
【００１４】
これにより、冷蔵室の扉を開閉した際の外気の光源体部分への侵入を防止して結露による障害を防止すると同時に、光源体までの沿面距離を確保して、低温貯蔵室への食材の出し入れ時に手等から光源体部分に静電気が流れこれを損傷させることも防止でき、信頼性の高い低温貯蔵室付きの冷蔵庫とすることができる。
【００１５】
第４の発明は、第１〜第３の発明において、前記照明装置は低温貯蔵室の前後奥行き方向の中心より前方寄り部分に設けた構成としてある。
【００１６】
これにより、前後方向の奥行き寸法が短い低温貯蔵室であっても、冷気導入口から照明装置までの冷気ダクトの寸法を確保することができる。その結果、冷気ダクト内への冷気の流入抵抗が増大するのを抑制でき、低温貯蔵室内への冷気供給を良好なものとして低温貯蔵室をより確実に冷却することができる。
【００１７】
第５の発明は、第１〜第４の発明において、前記棚板部材の断熱材は上断熱材と下断熱材を重合させて構成し、かつ、上断熱材と下断熱材との間に冷気ダクトを形成した構成としてある。
【００１８】
これにより、冷気ダクト部は冷気通路用凹部を形成した断熱部材を組み合わせることによって容易に形成でき、一つの断熱部材の中をくりぬいて冷気ダクト部を形成する場合に比べ生産性が向上すると同時に、冷気ダクト部形状の自由度も向上し、低温室全体を効率よく冷却可能とすることができる。
【００１９】
第６の発明は、第５の発明において、前記棚板部材の上断熱材と下断熱材との間に配線溝を更に設け、この配線溝に照明装置からのリード線を通して冷蔵庫本体側の電源リード線と接続した構成としてある。
【００２０】
これにより、棚板部材の断熱材を利用して照明装置のリード線を冷蔵庫本体からの電源リード線に接続することができ、構成の合理化を図ることができる。しかも上・下断熱部材同士間に配線溝を形成しているので、冷気ダクトの場合と同様、配線溝形状の自由度が向上する。よって、冷気ダクト部を流れる冷気の影響を受けにくい位置に配線溝を形成して配線への結露付着も防止することができ、信頼性を向上させることができる。
【００２１】
第７の発明は、第５または第６の発明において、前記棚板部材の凹部は下断熱材の下面を覆う下板に形成し、前記凹部に照明装置の光源体基板と透明カバーを装着して一体にユニット化した構成としてある。
【００２２】
これにより、上板及び下板の間に上・下断熱材を組み込んで棚板部材を組み立てることによりこれと同時に照明装置の組み込みが完了することになり、生産性が向上するとともに、組立工程で搬送する部品点数も削減でき光源体等の取り扱いも容易になる。
【００２３】
第８の発明は、第１〜第７の発明において、前記低温貯蔵室は引出自在な容器を備え、低温貯蔵室の棚板部材に設けた照明装置は引き出した前記容器の上面開口最後端よりも前方側に位置する構成としてある。
【００２４】
これにより、照明装置は容器を引き出した時にも必ず容器内を照射することができ、容器内に収納している食材の視認性を向上させることができる。
【００２５】
以下、本発明の実施の形態について、図面を参照しながら説明する。尚、この実施の形態によって本発明が限定されるものではない。
【００２６】
（実施の形態１）
図１〜図１３は本発明の実施の形態１を示すもので、まず、冷蔵庫全体の構成について説明する。
【００２７】
図１〜図３において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。
【００２８】
冷蔵庫本体１は、仕切板５、６、６ａによって複数の貯蔵室に区分されており、冷蔵庫本体１の最上部は冷蔵室７、冷蔵室７の下方は切替室８ａ及び切替室８ａに並設した製氷室８ｂ、さらにその下方は冷凍室９、さらに最下部は野菜室１０となっている。そして前記各貯蔵室の前面開口部は、扉１１ａ、１１ｂ、１１ｃ、１１ｄ、１１ｅによって開閉可能に閉塞されている。
【００２９】
前記冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３０】
また、冷蔵庫本体１の背面には冷気を生成する冷却室１６と冷却室１６からの冷気を前記冷蔵室７、冷凍室９、野菜室１０等に供給循環させる冷気通路１７が設けられている。
【００３１】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、冷凍室９、野菜室１０等に強制循環させて各室を冷却するものである。
【００３２】
例えば、冷蔵室７は食材が凍らない程度の温度通常１℃〜５℃に冷却し、野菜室１０は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３３】
前記冷却室１６からの冷気によって冷却される冷蔵室７には食材を載置する複数の棚板２１が設けてあり、かつ、側壁前部には照明装置（図示せず）が設置してあって扉１１ａを開くと点灯し冷蔵室７内を照射するようになっている。
【００３４】
また、上記冷蔵室７にはその下部に約１℃の温度帯に冷却されるチルド室あるいは約−３℃の微凍結温度帯まで冷却されるパーシャル室に切り替え可能な低温貯蔵室２３が区画形成してある。なお、低温貯蔵室２３はチルド室或いはパーシャル室に切り替え可能なものでなく、チルド室或いはパーシャル室として専用設計されたものであってもよいものである。
【００３５】
以下、この低温貯蔵室２３の構成について図４〜図１３を用いて説明する。
【００３６】
まず上記低温貯蔵室２３はその上面を冷蔵室７の最下段に位置する棚板としても利用する棚板部材２４及び側面の給水タンク室２２との間を仕切る間仕切り板２２ａとで区画形成してあり、内部には引出自在な容器２５が設けてあって、その前方は前記容器２５の引出によって棚板部材２４の前端部を中心に回動して開く蓋板２６によって閉蓋してある。
【００３７】
上記棚板部材２４は、図５、図１３等に示すように、合成樹脂製の棚枠部材２７に装着したガラス板等からなる上板２８と、下板となる合成樹脂製の下枠板２９と、それらの間に設けた発泡スチロール等の断熱材３０とから構成してある。
【００３８】
そして、上記断熱材３０には下枠板２９に開口する多数の吹出し口３１を有する冷気ダクト部３２が形成してあり、冷蔵室７内にセットすることによって前記冷気ダクト部３２が冷蔵庫本体１背面の冷気通路１７に連通し冷気が供給され、この冷気によって低温貯蔵室２３内を冷却するようになっている。
【００３９】
また、上記棚板部材２４の断熱材３０は、図７に示すように、上断熱材３０ａと下断熱材３０ｂを重合させて構成してあり、前記上断熱材３０ａと下断熱材３０ｂのいずれか一方もしくは双方の接合面に形成した凹所によって冷気ダクト部３２を形成している。
【００４０】
更に、前記断熱材３０の上・下断熱材３０ａ，３０ｂは棚板部材２４の下枠板２９に圧入装着してあり、その後部には図５に示すように冷蔵庫本体１の冷気通路１７に接続する冷気導入口３３が設けてある。
【００４１】
また、前記棚板部材２４の下面、すなわち下枠板２９には、図７に示すように前記断熱材３０側に向かって窪む凹部３４が形成してあり、この凹部３４を前記下断熱材３０ｂに形成した貫通孔３０ｃに嵌め込んでその内部に照明装置３５が設けてある。
【００４２】
上記凹部３４は棚板部材２４の前後奥行き方向の中心より前方寄り部分に形成して、照明装置３５が低温貯蔵室２３の前方寄り部分に位置するようにしてある。この実施の形態では更に前記凹部３４すなわち照明装置３５は、図１０に示すように低温貯蔵室２３から引き出した容器２５の上面開口最後端よりも前方側に位置する構成としてある。
【００４３】
また、上記照明装置３５を収容した断熱材３０の凹部３４の外周部分は、図６に示すように断熱用帯域３６を残して前記冷気ダクト部３２となるようにしてある。すなわち、冷気ダクト部３２は前記照明装置３５よりも前方側部分にも連続形成されていて、吹出し口３１から低温貯蔵室２３の前方部分にも冷気を供給可能な構成としてある。
【００４４】
そして、前記凹部３４の外周部分に形成してある断熱用帯域３６は特に冷気導入口３３と対向する部分を他の部分よりも断熱帯域幅が広くなるように形成してある。
【００４５】
一方、前記凹部３４に設けた照明装置３５は、図７、図８に示すように、基板３７と、この基板３７に設けたＬＥＤ等からなる光源体３８と、前記光源体３８の下方を覆う透明カバー３９とで構成してある。そして、上記照明装置３５はその基板３７を棚板部材２４の下枠板２９の凹部３４に設けた保持片４０の内側に嵌合させ爪係止するとともに、透明カバー３９は前記保持片４０の外側に嵌合させて凹部３４内に係合装着し、下枠板２９にユニット化してある。
【００４６】
また、前記棚板部材２４の断熱材３０を構成する上断熱材３０ａと下断熱材３０ｂには図６に示すように冷気ダクト部３２と同様の凹部方式で形成した配線溝４１が設けてあり、前記照明装置３５のリード線４２はこの配線溝４１を通して棚板部材２４後端部分の開口４３より冷蔵庫本体１側の電源リード線（図示せず）に接続してある。
【００４７】
上記配線溝４１は、この実施の形態では図６に示すように、冷気ダクト部３２の吹出し口３１を避けるように凹部３４の一方端部分から前方向けて形成し、そのまま横方向に屈曲させ、更に棚板部材２４側面に沿って後方へと屈曲形成してある。
【００４８】
なお、上記棚板部材２４の開口４３は配線処理後、閉塞板４４（図４参照）によって閉塞される。
【００４９】
また、図９、図１０に示すように前記低温貯蔵室２３は容器２５の出し入れを容器検出用スイッチ４５で検出するとともに、温度センサ４６で温度を検出して冷気の供給を制御し、所定温度に冷却するようになっている。
【００５０】
以上のように構成された冷蔵庫について、次にその作用効果を説明する。
【００５１】
まず、この冷蔵庫は、冷蔵室７の扉１１ａを開くと、冷蔵室内の照明装置（図示せず）とともに低温貯蔵室２３の照明装置３５も点灯し、低温貯蔵室２３内を照射する。この照明装置３５による照射は、前記照明装置３５が棚板部材２４の下面に設けてあるから、略水平状態に設置することができ、その結果、図９に示すように光源体３８からの光は容器２５の後端奥部まで照射する。したがって、低温貯蔵室２３内の奥部分まで明るくすることができ、低温貯蔵室２３内に保存されている食材を明瞭に視認することができる。
【００５２】
また、この実施の形態では上記照明装置３５は低温貯蔵室２３から引き出した前記容器２５の上面開口最後端よりも前方側に位置する如く設けてあるから、容器２５を引き出した時にも図１０に示すように容器２５内を照射することができ、容器２５を引き出した時の食材の視認性も向上させることができる。
【００５３】
一方、前記低温貯蔵室２３には棚板部材２４に設けた冷気ダクト部３２及び吹出し口３１を経由して冷蔵庫本体１側から冷気が供給されるが、上記冷気ダクト部３２は前記棚板部材２４に設けた照明装置３５を囲むように設けてあるから、照明装置３５の前方部分にも回り込んで吹出し口３１から低温貯蔵室２３内に吹出す。したがって、低温貯蔵室２３の前方部分にも確実に冷気を供給でき、当該部分が冷気供給不足気味になるのを防止して低温貯蔵室２３内を均一に冷却できる。
【００５４】
また、この低温貯蔵室２３は上記照明装置３５の周りの冷気ダクト部３２に冷気が流れていて照明装置３５が冷却されるような形となるが、この冷気ダクト部３２内を流れる冷気は照明装置３５を設けた凹部３４周りの断熱用帯域３６によって断熱されるので、照明装置３５が過冷却されるのを防止できる。したがって、照明装置３５に結露が発生するようなことがなく、結露生成付着によるショート故障等の懸念を払拭し、信頼性の高いものとすることができる。
【００５５】
特に、この実施の形態では、前記照明装置３５を収容した凹部３４周りの断熱用帯域３６は、図６に示すように棚板部材２４後端部の冷気導入口３３と対向する部分の断熱用帯域幅を他の部分の断熱用帯域よりも広く形成してあるから、より信頼性の高いものとすることができる。
【００５６】
すなわち、凹部３４の冷気導入口３３と対向する部分は冷気導入口３３からの冷気が直接衝突して強く冷却され結露発生しやすくなる。しかしながら、この実施の形態では上記冷気導入口３３と対向する部分の断熱用帯域３６の幅を特に広くしてあるから、冷気導入口３３からの冷気の直接衝突による強い冷却を強力に断熱できる。したがって、照明装置３５の前記冷気導入口３３と対向する部分の過冷却を確実に防止して照明装置３５に結露が発生するのを防止し、結露によるショート故障等の懸念をより確実に防止して信頼性を高めることができるのである。
【００５７】
また、上記照明装置３５は低温貯蔵室２３の前後奥行き方向の中心より前方寄り部分に設けてあるから、前後方向の奥行き寸法が短い低温貯蔵室であっても冷気導入口３３から照明装置３５までの冷気ダクト部３２の寸法を所定以上確保することができる。これによって、前記冷気ダクト部３２内への冷気の流入抵抗が増大するのを抑制でき、低温貯蔵室２３内への冷気供給を良好なものとして、低温貯蔵室２３が−３℃と低温のパーシャル室であったとしてもこれを確実かつ迅速にその温度まで冷却することができる。
【００５８】
更に、前記照明装置３５はその光源体３８の下方部分を透明カバー３９で覆っているから、冷蔵室７の扉１１ａを開閉した際に生じがちな外気の光源体３８部分への侵入を防止でき、外気侵入による結露も防止できる。しかも、上記透明カバー３９を設けたことによって光源体３８までの沿面距離を確保でき、低温貯蔵室２３への食材の出し入れ時に手等から光源体３８や基板３７部分に静電気が流れてこれを損傷させるようなことも防止できる。よってその信頼性は更に高ものとなる。
【００５９】
一方、前記棚板部材２４は上断熱材３０ａと下断熱材３０ｂを重合させてその間に冷気ダクト部３２を形成しているから、冷気ダクト部３２を容易に形成でき、生産性の高いものとすることができる。すなわち、冷気通路用凹部を形成した上・下断熱部材３０ａ、３０ｂ（冷気通路用凹部は上・下断熱部材３０ａ、３０ｂのいずれか一方のみに設けられているものであってもよい）を組み合わせるだけで冷気ダクト部３２を形成でき、一つの断熱部材の中をくりぬいて冷気ダクト部を形成する場合に比べその生産性は飛躍的に向上する。しかも、上・下断熱部材３０ａ、３０ｂの重合面に冷気通路用凹部を形成すればよいからどのような形状であっても形成でき、冷気通路形状の自由度が向上して、低温貯蔵室２３全体を効率よく冷却できるようにすることができる。
【００６０】
また、照明装置３５のリード線４２を通す配線溝４１も前記冷気ダクト部３２と同様の凹部方式で形成しているから、冷気ダクト部３２の場合と同様、配線溝形状の自由度が向上する。よって、冷気ダクト部３２を流れる冷気の影響を受けにくい位置に配線溝４１を形成して配線自体の結露付着も防止することができ、信頼性を向上させることができる。加えて、別途リード線装着部材等を準備しこれを棚板部材２４に装着してリード線配線部とするような必要がなくなり、構成の合理化による部材点数の削減と組み立て工数の削減が図れ、生産性が向上し、かつ、コストダウンも促進できる。
【００６１】
また、前記照明装置３５は棚板部材２４の下枠板２９に設けた凹部３４内に基板３７と透明カバー３９を装着してユニット化してあるから、上板２８及び下枠板２９の間に上・下断熱材３０ａ，３０ｂを組み込んで棚板部材２４を組み立てると同時に照明装置３５の組み込みが完了する。したがって、生産性が向上するとともに、組立工程で搬送する部品点数も削減でき光源体３８等の取り扱いも容易になる。
【００６２】
特にこの実施の形態で例示したように貫通孔３０ｃを設けた下断熱材３０ｂ側に冷気ダクト部３２用の凹部や配線溝４１用の凹部を設けておけば、棚板部材２４の組立を容易なものとして生産性をさらに向上させることができる。
【００６３】
詳述すると、まず棚板部材２４の下枠板２９の凹部３４内に基板３７、透明カバー３９を順次嵌め込み装着して照明装置３５をユニット化する。次に照明装置３５をユニット化した下枠板２９を裏返して当該下枠板２９に下断熱材３０ｂを嵌め込む。この状態で図８に示すように前記基板３７を嵌め込んだ凹部３４の孔部分Ｙより基板３７からのリード線４２を引き出して前記下断熱材３０ｂに形成した配線溝用凹所に引き回し、その上から上断熱材３０ａを重ね合わせ棚枠部材２７と一体の上板２８をセットすれば、組み立てが完了する。つまり、下枠板２９に嵌め込み装着した下断熱材３０ｂ側だけで照明装置３５の組み込みとリード線４２の配線処理ができ、例えば照明装置３５は下断熱材３０ｂ側に装着し、リード線４２は上断熱材３０ａ側に装着するような場合に比べその組立て性は格段に向上し、生産性が向上するのである。
【００６４】
なお、この実施の形態で例示した低温貯蔵室２３は図示しないが前記冷気ダクト部３２に供給する冷気の量をダンパ等によって調節し、当該低温貯蔵室２３をパーシャル室或いはチルド室に切り替え可能としてある。
【００６５】
以上、本発明に係る冷蔵庫について、上記実施の形態を用いて説明してきたが、本発明は、これに限定されるものではなく、本発明の目的を達成する範囲内で種々変更可能であることは言うまでもない。従って、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６６】
本発明は、低温貯蔵室内の視認性を向上させつつ低温貯蔵室内を均一に冷却でき、しかも照明装置が過冷却されて結露付着により故障等を起こすこともない信頼性の高い冷蔵庫とすることができる。よって、家庭用はもちろん業務用冷蔵庫やショーケース等多くの用途に幅広く適用することができる。
【符号の説明】
【００６７】
１  冷蔵庫本体
７  冷蔵室
１４  機械室
１５  圧縮機
１６  冷却室
１７  冷気通路
１８  背面壁体
１９  冷却器
２０  冷却ファン
２１  棚板
２２  給水タンク室
２３  低温貯蔵室
２４  棚板部材
２５  容器
２６  蓋板
２７  棚枠部材
２８  上板
２９  下枠板（下板）
３０  断熱材
３１  吹出し口
３２  冷気ダクト部
３３  冷気導入口
３４  凹部
３５  照明装置
３６  断熱用帯域
３７  基板
３８  光源体
３９  透明カバー
４０  保持片
４１  配線溝
４２  リード線
【図１】
2020079704.tif 000003
【図２】
2020079704.tif 000004
【図３】
2020079704.tif 000005
【図４】
2020079704.tif 000006
【図５】
2020079704.tif 000007
【図６】
2020079704.tif 000008
【図７】
2020079704.tif 000009
【図８】
2020079704.tif 000010
【図９】
2020079704.tif 000011
【図１０】
2020079704.tif 000012
【図１１】
2020079704.tif 000013
【図１２】
2020079704.tif 000014
【図１３】
2020079704.tif 000015
【図１４】
2020079704.tif 000016
【図１５】
2020079704.tif 000017
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
冷蔵庫であって、
冷蔵室と、
前記冷蔵室の下部に設けられている、引き出し可能な容器を有する貯蔵室と、
前記貯蔵室の天井に設けられている、前記貯蔵室の内部を照らす照明装置とを備え、
前記貯蔵室の天井は上板と下板とで構成され、前記下板の一部は前記冷蔵庫の天面方向に凹む凹部であり、前記照明装置は前記凹部に設けられていることを特徴とする冷蔵庫。
【請求項２】
前記照明装置は、前記容器を引き出した際に前記容器の最後端よりも前記貯蔵室の前方側に位置するように設けられていることを特徴とする請求項１に記載の冷蔵庫。
【請求項３】
前記照明装置は、前記貯蔵室の前後方向の中心よりも前記貯蔵室の前方側に設けられていることを特徴とする請求項１又は２に記載の冷蔵庫。
【請求項４】
前記貯蔵室に温度センサが設けられ、前記温度センサが検出する温度に基づいて前記貯蔵室への冷気の供給が制御されることを特徴とする請求項１から３のいずれか１項に記載の冷蔵庫。
【請求項５】
前記温度センサは前記貯蔵室の奥面に設けられていることを特徴とする請求項４に記載の冷蔵庫。
【請求項６】
前記冷蔵室には上下方向に複数の棚が設けられ、前記複数の棚のうち最も下方の棚が前記貯蔵室の天井として使用されることを特徴とする請求項１から５のいずれか１項に記載の冷蔵庫。
【請求項７】
前記貯蔵室はパーシャル室であることを特徴とする請求項１から６のいずれか１項に記載の冷蔵庫。
【請求項８】
前記貯蔵室はチルド室であることを特徴とする請求項１から６のいずれか１項に記載の冷蔵庫。
【請求項９】
前記貯蔵室はパーシャル室又はチルド室に切り替え可能であることを特徴とする請求項１から６のいずれか１項に記載の冷蔵庫。
【手続補正２】
【補正対象書類名】明細書
【補正対象項目名】０００５
【補正方法】変更
【補正の内容】
【０００５】
本発明は、冷蔵庫の利用者が貯蔵室の高さ一杯まで容器に食材等の収納物を収納しようとした際に、収納物が照明装置に衝突する可能性を軽減することを目的としたものである。
【手続補正３】
【補正対象書類名】明細書
【補正対象項目名】０００６
【補正方法】変更
【補正の内容】
【０００６】
本発明の冷蔵庫は、冷蔵室と、冷蔵室の下部に設けられている、引き出し可能な容器を有する貯蔵室と、貯蔵室の天井に設けられている、貯蔵室の内部を照らす照明装置とを備え、貯蔵室の天井は上板と下板とで構成され、下板の一部は冷蔵庫の天面方向に凹む凹部であり、照明装置は凹部に設けられていることを特徴とする。
【手続補正４】
【補正対象書類名】明細書
【補正対象項目名】０００７
【補正方法】変更
【補正の内容】
【０００７】
本発明によれば、冷蔵庫の利用者が貯蔵室の高さ一杯まで容器に食材等の収納物を収納しようとした際に、収納物が照明装置に衝突する可能性を軽減できる。